(57)【要約】【課題】勤労者が自らの裁量・判断によって残業時間や退勤時刻を決定し、それを職場環境の全体で認識・把握できるようにする。【解決手段】色彩及び／又は形状ごとに異なる退勤時刻が示された複数種類のカードと、カードを回収する回収箱を用いた勤務時間管理方法であって、管理者が、ユーザごとに当月内で使用できるカードの種類と枚数を定めて配付するステップと、ユーザが、配付されたカードのうち１枚を選択して、当日の業務開始時に所定の場所に掲示し、掲示したカードに示された退勤時刻までに当日の業務を終了するステップと、ユーザが、前日に掲示したカードを回収箱に返却するステップと、を含み、ユーザは、配付された複数のカードを１日に１枚ずつ使用することにより、カードに示された退勤時刻によって規定される業務時間の範囲内で、当月の業務を終了する。【選択図】図１
2019036096.tif 000002
【特許請求の範囲】
【請求項１】
色彩及び／又は形状ごとに異なる退勤時刻が示された複数種類のカードと、前記カードを回収する回収箱を用いた勤務時間管理方法であって、
管理者が、ユーザごとに当月内で使用できる前記カードの種類と枚数を定めて配付するステップと、
ユーザが、配付された前記カードのうち１枚を選択して、当日の業務開始時に所定の場所に掲示し、掲示した前記カードに示された退勤時刻までに当日の業務を終了するステップと、
ユーザが、前日に掲示した前記カードを前記回収箱に返却するステップと、
を含み、
ユーザは、配付された複数の前記カードを１日に１枚ずつ使用することにより、前記カードに示された退勤時刻によって規定される業務時間の範囲内で、当月の業務を終了する
ことを特徴とする勤務時間管理方法。
【請求項２】
ネットワークを介して接続された管理者装置とユーザ端末とを備え、管理者装置からユーザ端末に送信される、色彩及び／又は形状ごとに異なる退勤時刻が示された複数種類のカードを模した所定のカード情報に基づいて、ユーザ端末を使用するユーザの勤務時間を管理するための勤務時間管理システムであって、
管理者装置が、
前記カード情報として、ユーザごとに配付する当月内で使用できる前記カードの種類と枚数を含む所定情報を設定する配付カード情報設定手段と、
前記配付カード情報設定手段で設定されたカード情報を、該当するユーザが使用する前記ユーザ端末に送信する配付カード情報送信手段と、
前記ユーザ端末から送信される、当日に使用される前記カード情報を受信する使用カード情報受信手段と、
前記使用カード情報受信手段で受信された前記カード情報を、ユーザ毎に管理する使用カード情報管理手段と、を備え、
前記ユーザ端末が、
前記管理者装置から送信される、ユーザごとに配付される当月内で使用可能な前記カード情報を受信する配付カード情報受信手段と、
前記配付カード情報受信手段で受信された前記カード情報の種類と枚数を記憶する配付カード情報記憶手段と、
前記配付カード情報記憶手段に記憶された前記カード情報のうち、所定の選択操作に応じて、当日に使用される１枚の前記カード情報を選択し、前記管理者装置に送信する使用カード情報送信手段と、
前記配付カード情報記憶手段に記憶された前記カード情報のうち、前記使用カード情報送信手段により送信されたカード情報を削除する使用カード情報削除手段と、を備え、
前記ユーザ端末を使用するユーザが、
前記配付カード情報記憶手段に記憶された複数の前記カード情報を１日に１枚ずつ使用して、前記使用カード情報送信手段により送信されたカード情報に示された退勤時刻までに当日の業務を終了することにより、前記カード情報に示された退勤時刻によって規定される業務時間の範囲内で当月の業務を終了することができる
ことを特徴とする勤務時間管理システム。
【請求項３】
前記使用カード情報管理手段が、
前記ユーザ毎に、当該ユーザを特定するための所定のユーザ情報と、当該ユーザが使用する前記ユーザ端末から送信される前記カード情報と、当該ユーザの現在の状況を示す所定のステータス情報とを当日毎に管理して、一又は二以上のユーザの情報として一覧表示可能に出力する
ことを特徴とする請求項２記載の勤務時間管理システム。
【請求項４】
前記配付カード情報送信手段は、
毎月の所定の日時に、前記カード情報を該当するユーザが使用する前記ユーザ端末に送信する
ことを特徴とする請求項２又は３記載の勤務時間管理システム。
【請求項５】
前記管理者装置は、
当日に使用される前記カード情報を、所定時刻までに前記ユーザ端末から受信しない場合に、該当するユーザ端末に所定のアラート情報を送信するアラート情報送信手段を備える
ことを特徴とする請求項２〜４のいずれか一項記載の勤務時間管理システム。
【発明の詳細な説明】
【技術分野】
【０００１】
本発明は、勤労者の勤務時間を管理するための技術に関し、特に、個々の勤労者自身による勤務時間の管理や早期退勤の促進を図ることができる勤務時間管理方法及びシステムに関する。
【背景技術】
【０００２】
一般に、企業・団体・官公庁等では、そこで働く勤労者（労働者・被雇用者・従業員等）の勤務時間を把握・管理する労務管理・勤怠管理が行われている。
特に近年は、長時間労働やサービス残業などが問題となることもあり、各勤労者の勤務時間の正確な把握・管理と、それに基づく適正・健全な組織運営や人材活用，生産性向上等を図ることは極めて重要である。
【０００３】
勤労者の勤務時間の管理は、通常、タイムレコーダーなどを用いて出退勤の時刻を打刻・入力させ、その出退勤データを、雇用者である事業者の本社や人事部などのホストコンピュータ等で記憶・処理することで行われている。
この種の労働時間の管理に関する技術としては、例えば特許文献１，２に開示されているものがある。
【先行技術文献】
【特許文献】
【０００４】
【特許文献１】特開平５−２９０２３６号公報
【特許文献２】実開平６−０４３７９０号公報
【発明の概要】
【発明が解決しようとする課題】
【０００５】
しかしながら、これまでの労働時間の管理は、特許文献１，２に開示されているように、単に勤労者の出退勤時刻を打刻・入力して、それをコンピュータ上で記録・処理するというものであって、労働時間や残業時間の長期化等の問題を解決できるものではなかった。
長時間労働や無駄な残業時間の問題は、例えば、上司や先輩社員が残っているために帰りづらい等の理由で生じる所謂付き合い残業が原因となり、その結果、生産性が上がりにくい構造となるといった悪循環が指摘されている。
また、上司・管理者と部下・一般社員との間のコミュニケーションの機会が少ない職場環境などでは、上司からは部下の勤務状態や業務量などが見えづらくなり、適正な業務やタスクの割り振りが行なえず、労働時間の偏りや長時間労働などが生じることも少なくない。
【０００６】
このような現実の労働環境における様々な状況・構造等に起因して生じる長時間労働や残業時間の問題は、単に出退勤時刻を記録・管理するだけのこれまでの労務管理・勤怠管理の方法では、有効に解決することは困難であった。
一方で、個々の勤労者が、自らの判断で、個人の裁量に基づいて労働時間や残業時間をコントロールでき、かつ、それを上司を含めた周囲の人間が認識・把握することができれば、無駄な長時間労働や残業をなくして、働き方の改善や生産性の向上につなげることができるようになる。
【０００７】
本発明は、以上のような従来の技術が有する課題を解決するために提案されたものであり、単に出退勤時刻を記録・管理するのではなく、個々の勤労者が、自らの裁量・判断によって残業時間や退勤時刻を決定し、それを職場環境の全体で認識・把握できるようにすることで、業務の偏りや付き合い残業などによる無駄な長時間労働をなくして、効率的な労働状態・労働環境を創出し、個々人及び職場全体の生産性向上や働き方改善を実現することができる勤務時間管理方法及びシステムの提供を目的とする。
【課題を解決するための手段】
【０００８】
上記目的を達成するため、本発明の勤務時間管理方法は、色彩及び／又は形状ごとに異なる退勤時刻が示された複数種類のカードと、前記カードを回収する回収箱を用いた勤務時間管理方法であって、管理者が、ユーザごとに当月内で使用できる前記カードの種類と枚数を定めて配付するステップと、ユーザが、配付された前記カードのうち１枚を選択して、当日の業務開始時に所定の場所に掲示し、掲示した前記カードに示された退勤時刻までに当日の業務を終了するステップと、ユーザが、前日に掲示した前記カードを前記回収箱に返却するステップと、を含み、ユーザは、配付された複数の前記カードを１日に１枚ずつ使用することにより、前記カードに示された退勤時刻によって規定される業務時間の範囲内で、当月の業務を終了する構成としてある。
【０００９】
また、本発明の勤務時間管理システムは、ネットワークを介して接続された管理者装置とユーザ端末とを備え、管理者装置からユーザ端末に送信される、色彩及び／又は形状ごとに異なる退勤時刻が示された複数種類のカードを模した所定のカード情報に基づいて、ユーザ端末を使用するユーザの勤務時間を管理するための勤務時間管理システムであって、管理者装置が、前記カード情報として、ユーザごとに配付する当月内で使用できる前記カードの種類と枚数を含む所定情報を設定する配付カード情報設定手段と、前記配付カード情報設定手段で設定されたカード情報を、該当するユーザが使用する前記ユーザ端末に送信する配付カード情報送信手段と、前記ユーザ端末から送信される、当日に使用される前記カード情報を受信する使用カード情報受信手段と、前記使用カード情報受信手段で受信された前記カード情報を、ユーザ毎に管理する使用カード情報管理手段と、を備え、前記ユーザ端末が、前記管理者装置から送信される、ユーザごとに配付される当月内で使用可能な前記カード情報を受信する配付カード情報受信手段と、前記配付カード情報受信手段で受信された前記カード情報の種類と枚数を記憶する配付カード情報記憶手段と、前記配付カード情報記憶手段に記憶された前記カード情報のうち、所定の選択操作に応じて、当日に使用される１枚の前記カード情報を選択し、前記管理者装置に送信する使用カード情報送信手段と、前記配付カード情報記憶手段に記憶された前記カード情報のうち、前記使用カード情報送信手段により送信されたカード情報を削除する使用カード情報削除手段と、を備え、前記ユーザ端末を使用するユーザが、前記配付カード情報記憶手段に記憶された複数の前記カード情報を１日に１枚ずつ使用して、前記使用カード情報送信手段により送信されたカード情報に示された退勤時刻までに当日の業務を終了することにより、前記カード情報に示された退勤時刻によって規定される業務時間の範囲内で当月の業務を終了することができる構成としてある。
【発明の効果】
【００１０】
本発明によれば、単に出退勤時刻を記録・管理するのではなく、個々の勤労者が、自らの裁量・判断によって残業時間や退勤時刻を決定し、それを職場環境の全体で認識・把握できるようにすることができる。
これによって、業務の偏りや付き合い残業などによる無駄な長時間労働をなくして、効率的な労働状態・労働環境を創出し、個々人及び職場全体の生産性向上や働き方改善を実現することができるようになる。
【図面の簡単な説明】
【００１１】
【図１】本発明の一実施形態に係る勤務時間管理方法で使用されるカードの一例を示す説明図である。
【図２】本発明の一実施形態に係る勤務時間管理方法で使用されるカードが、管理者（上司等）からユーザ（部下・勤労者等）に配付されるイメージを模式的に示す説明図である。
【図３】本発明の一実施形態に係る勤務時間管理方法で使用されるカードを、ユーザが所定場所（デスク上のＰＣ）に掲示したイメージを模式的に示す説明図である。
【図４】本発明の一実施形態に係る勤務時間管理方法で使用されるカードとして、図１に示すカードに追加して使用される追加カードの一例を示す説明図である。
【図５】本発明の一実施形態に係る勤務時間管理方法で使用されるカードが、前月の状況（労働時間）に応じて、翌月に使用可能なカードの種類・枚数が決定されて、管理者からユーザに配付されるイメージを模式的に示す説明図である。
【図６】本発明の一実施形態に係る勤務時間管理システムの構成を示すブロック図である。
【図７】本発明の一実施形態に係る勤務時間管理システムにおいて、管理者装置側に出力・表示される表示画面の一例を示す説明図であり、複数のユーザに配付される当月内で使用可能なカード情報として、カードの種類と枚数を含む所定情報を設定する設定画面を示している。
【図８】本発明の一実施形態に係る勤務時間管理システムにおいて、管理者装置側に出力・表示される表示画面の一例を示す説明図であり、図７から引き続いて、ユーザ毎に当月内で使用可能なカード情報を設定する設定画面を示している。
【図９】本発明の一実施形態に係る勤務時間管理システムにおいて、管理者装置側に出力・表示される表示画面の一例を示す説明図であり、図７から引き続いて、ユーザ毎に通常のカード以外の「義務型カード」として使用可能なカード情報を設定する設定画面を示している。
【図１０】本発明の一実施形態に係る勤務時間管理システムにおいて、管理者装置側に出力・表示される表示画面の一例を示す説明図であり、複数のユーザが当日に使用するカード情報と、各ユーザの現在の状況を示す所定のステータス情報とが一覧表示された表示画面を示している。
【図１１】本発明の一実施形態に係る勤務時間管理システムにおいて、管理者装置側に出力・表示される表示画面の一例を示す説明図であり、複数のユーザが当日使用するカード情報が、ステータスバーに表示された表示画面を示している。
【図１２】本発明の一実施形態に係る勤務時間管理システムにおいて、ユーザ端末側に出力・表示される表示画面の一例を示す説明図であり、当該ユーザが当月内で使用可能なカード情報が一覧表示された表示画面を示している。
【図１３】本発明の一実施形態に係る勤務時間管理システムにおいて、ユーザ端末側に出力・表示される表示画面の一例を示す説明図であり、図１１から引き続いて、当該ユーザが当日に使用するカード情報を選択して所定のメッセージ・アイコンを選択して管理者装置に送信する場合の表示画面を示している。
【図１４】本発明の一実施形態に係る勤務時間管理システムにおいて、ユーザ端末側に出力・表示される表示画面の一例を示す説明図であり、図１２から引き続いて、当該ユーザが当日に使用するカード情報が管理者装置に送信された確定された場合の表示画面を示している。
【図１５】本発明の一実施形態に係る勤務時間管理システムにおいて、各ユーザに配付されるカードの提供計画を立案するプロセスを模式的に示す説明図である。
【図１６】本発明の一実施形態に係る勤務時間管理システムにおける管理者装置又はユーザ端末のハードウェア構成を示す図である。
【発明を実施するための形態】
【００１２】
以下、本発明に係る勤務時間管理方法及び勤務時間管理システムの実施形態について、図面を参照しつつ説明する。
ここで、以下に示す本発明の勤務時間管理システムは、プログラム（ソフトウェア）の命令によりコンピュータで実行される処理，手段，機能によって実現される。プログラムは、コンピュータの各構成要素に指令を送り、以下に示す本発明に係る所定の処理や機能等を行わせることができる。すなわち、本発明における各処理や手段，機能は、プログラムとコンピュータとが協働した具体的手段によって実現される。
【００１３】
なお、プログラムの全部又は一部は、例えば、磁気ディスク，光ディスク，半導体メモリ，その他任意のコンピュータで読取り可能な記録媒体により提供され、記録媒体から読み出されたプログラムがコンピュータにインストールされて実行される。また、プログラムは、記録媒体を介さず、通信回線を通じて直接にコンピュータにロードし実行することもできる。また、本発明に係る勤務時間管理システムは、単一の情報処理装置（例えば１台のパーソナルコンピュータ等）で構成することもでき、複数の情報処理装置（例えば複数台のサーバコンピュータ群等）で構成することもできる。
【００１４】
［勤務時間管理方法］
まず、図１〜６を参照しつつ、本発明の一実施形態に係る勤務時間管理方法について説明する。
本実施形態に係る勤務時間管理方法は、色彩ごとに異なる退勤時刻が示された複数種類のカード１と、カード１を回収する回収箱２０ａ（図３参照）を用いて勤務時間を管理する方法である。なお、後述するように、異なる退勤時刻が示された複数種類のカードの種別を区別する手段として、色彩以外に、形状、模様であってもよく、またそれらの任意の組み合わせによってカード種別を区別するようにしてもよい。
図１は、本発明の一実施形態に係る勤務時間管理方法で使用されるカードの一例を示す説明図である。
【００１５】
［カード］
同図に示すように、本実施形態で使用するカード１は、例えば免許証サイズや名刺サイズ，トランプカードサイズなど、所定の大きさに形成された紙製や樹脂製のカード部材で構成されている。
各カードの片面又は両面には、カードを使用するユーザである勤労者の退勤時刻を示す数字が、カード面の中心に大きく表示・印字されるとともに、カード面のほぼ全体が、退勤時刻に合わせた異なる色彩で彩色されるようになっている。
具体的には、図１に示す例では、カード１は、青色の１８時カード１ａ，黄色の２０時カード１ｂ，赤色の２２時カード１ｃの３種類のカードから構成されている。
なお、カードの種類は上記した種類に限らず、業種業態や企業独自の施策等に応じて任意に設計することができる。
【００１６】
１８時カード１ａは、退勤時刻「１８時（午後６時）」を示す数字「１８」がカード面の中央に大きく描かれ、その数字及び数字の周囲のほぼ全体が「青色」で彩色されている。「青色」は信号機の青信号に対応した「進め」の意味であり、「１８時」は、例えば「定時」などの推奨される退勤時刻であることを意味している。
２０時カード１ｂは、退勤時刻「２０時（午後８時）」を示す数字「２０」がカード面に描かれ、数字及び数字の周囲が「黄色」で彩色されている。「黄色」は信号機の黄信号に対応した「注意」の意味であり、「２０時」は注意が必要となる退勤時刻であることを意味している。
【００１７】
２２時カード１ｃは、退勤時刻「２２時（午後１０時）」を示す数字「２２」がカード面に描かれ、数字及び数字の周囲が「赤色」で彩色されている。「赤色」は信号機の黄信号に対応した「止まれ」の意味であり、「２２時」は可能な限り止める（少なくする）べき退勤時刻であることを意味している。
また、上記の各カード１ａ〜１ｃには、図１に示すように、各ユーザが自己の氏名等を記入する欄が設けられており、使用したカード１を回収箱２０ａ（図３参照）に返却する際に、使用したカード１に氏名等を記入できるようになっている。なお、氏名等は、予めカード１に印字・刻印等されていても良く、また、氏名等の情報を予め２次元コードに変換してカード１に印字等しても良い。
【００１８】
以上のようなカード１によって、カード１を所定の場所に掲示することで、カード１を使用した本人及び周囲の人間が、そのカード使用者の当日の「退勤時刻」が一目で認識できるようになる。
ここで、本実施形態では、上記のような３種類のカード１を、使用者が使用する権利を有し、使用するか否かがユーザの裁量に委ねられる「権利型カード」又は「裁量型カード」と呼ぶ。これ以外に、本実施形態では、後述する「追加カード」（図５参照）や、「義務型カード」（図９参照）も用いることができる。
また、このようなカード１には、適宜、名称・愛称などを付けて使用・運用することができる。
【００１９】
なお、既に述べたとおり、以上のようなカード１のデザインや形状・大きさ等は特に限定されるものではない。
例えば、カード面の数字や彩色は、カード１の少なくとも片面に備えられていれば良い。カード１の両面に数字・彩色があれば、いずれの面からも「退勤時刻」が認識できることから好ましいが、片面に、例えば勤労者が勤務する企業の社名やマークなどを表すことも可能である。
また、カード面に表す彩色は、上記の色以外でもよく、また、彩色を省略することもできる。すなわち、カード面には、少なくとも退勤時刻を示す数字や表示が表されて、カードを使用した際に、本人及び周囲に「本時の退勤時刻は〇〇時」だと認識させることができるものであれば良い。また、色彩の代わりに、模様を用いてもよく、退勤時刻ごとに適したイラスト等を用いて周囲に認識させるようにしても良い。
また、カード１の形状や大きさも、矩形の免許証サイズなどに限定されず、例えば楕円形や星形など各種の形状や、大きさも認識しやすい任意のサイズとすることができる。
【００２０】
そして、以上のようなカード１は、次のようにして用いることができる。
まず、カード１は、図２に示すように、カード１を使用するユーザである勤労者の上司などの所定の管理者が、ユーザごとに当月内で使用できるカードの種類と枚数を定めて配付する。
所定枚数・種類のカード１が配付されたユーザは、配付されたカードのうち１枚を選択して、図３に示すように、当日の業務開始時に所定の場所に掲示し、掲示したカードに示された退勤時刻までに当日の業務を終了する。
そして、上記のようなカード１を使用・掲示したユーザは、図３に示すように、前日に掲示したカードを、翌日に所定の回収箱２０ａに返却する。
このようにすることで、各ユーザは、自己に配付された複数のカード１を、１日に１枚ずつ使用することにより、配付された全てのカード１に示された退勤時刻によって規定される所定の業務時間の範囲内で、当月の業務を終了することができるようになる。
【００２１】
［カード運用］
以下、本実施形態におけるカード１を使用した勤務時間管理方法の具体的な運用について説明する。
まず、カード１の基本セットとして、図１に示すように、(1)１８時カード１ａ（青色）：２０枚（デフォルトカードとして１枚の場合もある）、(2)２０時カード１ｂ（黄色）：８枚、(3)２２時カード１ｃ（赤色）：２枚、合計３０枚を、ユーザの人数分だけ用意する。それぞれ、(1)１８時カード１ａ：１８時までに退社予定、(2)２０時カード１ｂ：２０時までに退社予定、(3)２２時カード１ｃ：２２時までに退社予定、であることを示している。
なお、「デフォルトカード」とは、１８時カード１ａのように使用が推奨されているカードについては、複数枚を配付せず、１枚のカード１ａを繰り返し使用できるようにするものである。この場合、デフォルトカード（カード１ａ）は、翌日の返却は不要となる。
【００２２】
これらのカード１は、図２に示すように、カード１を使用するユーザである勤労者の上司や所属長などが、各ユーザに対して、当月内で使用できるカードの種類と枚数を定めて、例えば、当月の月初め（毎月第１営業日）や前月の月末（最終営業日）などに配付する。
管理者は、各ユーザの業務内容に職位・職歴などに応じて、当該ユーザの当月の業務時間・残業時間を勘案して、また、前月のカード１の使用状況などを考慮して（図５参照）、ユーザ毎に上限の残業時間を規定した所定の種類・枚数のカード１を配付する。
これによって、例えば上述した基本セットの場合には、「２０時カード１ｂ：８枚」と「２２時カード１ｃ：２枚」を全て使用したとしても、最大の残業時間（観察時間）は、約３５時間程度に規定されることになる。
【００２３】
ユーザは、自己に配付された当月分の複数のカード１の中から、任意の１枚を選択し、図３に示すように、当日の業務開始時に所定の場所、例えばデスクトップＰＣ（ユーザ端末３０ａ〜３０ｎ）の上などに掲示する。
そして、当日は、掲示したカード１に記載された時刻（例えば「１８時」，「２２時」など）までに退社できるように業務を遂行する。
なお、当日にカード１で掲示・宣言した時刻までに退社できない場合、カード１を差し換え（例えば「１８時カード１ａ」を「２２時カード１ｃ」に差し替え）ても良いことにする。但し、差し替えは、手持ちのカード１の範囲内とし、手持ちのカード１が残っていない場合にはできないこととする。
【００２４】
その後、翌日（翌営業日）には、ユーザは前日に掲示したカード１を、自身の氏名を記載した上で、図３に示すように、管理者席などに設置された回収箱２０ａに格納・返却する。
本実施形態に係る格納箱２０ａは、図３に示すように、色別の仕切り・格納スペースが設けられており、ユーザは自己が掲示したカード１の色に対応した仕切りにカード１を格納する。
そして、カード１を返却したユーザは、当日使用分のカード１として、所有する残りのカード１の中から新しい１枚を選択して、上述と同様に、自席のＰＣなどの所定の場所にカード１を掲示する。
なお、前日に掲示したカード１が、上述したデフォルトカード（１８時カード１ａ：青色）の場合には、回収箱２０ａに返却せず、繰り返し使用することができる。
以上のような運用を繰り返すことで、各ユーザは、自己に配付された複数のカード１を、１日に１枚ずつ使用して日々の業務を遂行することで、配付された手持ちのカード１の退勤時刻によって規定される所定の業務時間の範囲内で、当月の業務を終了できることになる。
【００２５】
上記のような運用が通常の基本パターンであるが、例えば、繁忙期や突発的なトラブル対応等で、ユーザが保有する（青色以外の）カード１が足りなくなったような場合には、ユーザが管理者に申請することで、新たなカードを入手することができる。
本実施形態では、上述した基本セット（青：２０枚・黄色：８枚・赤色２枚）の他に、図４に示すように、追加カード２を用意している。
同図に示す例では、追加カード２は、追加２０時カード１ｂ（黄色＋黒色）：６枚と、追加２２時カード１ｃ（赤色＋黒色）：６枚の、最大１２枚の追加カード２を、ユーザの申請に応じて管理者が発行・配付できるようにしている。
追加カード２は、図４に示すように、追加されたカードであることが認識できるように、本来の色（黄色又は赤色）とともに、追加であることを示す色（黒色）を合わせて彩色するようにしてある。
【００２６】
このような追加カード２を使用することで、例えば、上述した基本セットの「２０時カード１ｂ：８枚」と「２２時カード１ｃ：２枚」を全て使用し、更に追加カード２の「２０時追加カード２ａ：６枚」と「２２時追加カード２ｂ：６枚」を全て使用したとしても、最大の残業時間（観察時間）は、約６６時間程度に規定されることになる。
なお、このような追加カード２については、図５に示すように、各ユーザの前月のカード１や追加カード２の使用状況を考慮して、翌月のカード１の種類・枚数を決定・調整・変更することができる。
【００２７】
例えば、図５に示す例では、ユーザＡの場合、前月は「青カード（１８時カード１ａ）」のみが使用されていることから、翌月には「赤カード（２２時カード１ｃ）」を基本セット２枚から４枚（２２時追加カード２ｂを２枚追加）まで使用できるようにする。
また、ユーザＢの場合、前月の「赤カード（２２時カード１ｃ）」の使用枚数が多かった（２枚使用）ので、翌月は「赤カード（２２時カード１ｃ）」の枚数を減らす（１枚にする）ようにする。
また、ユーザＣの場合、前月に「赤カード（２２時カード１ｃ）」を合計４枚（２２時追加カード２ｂを２枚使用）していることから、翌月は「赤カード（２２時カード１ｃ）」を配付しないようにする。
また、ユーザＤの場合、前月の「赤カード（２２時カード１ｃ）」の使用枚数が少なかった（１枚使用）ので、翌月には「赤カード（２２時カード１ｃ）」を基本セット２枚から４枚（２２時追加カード２ｂを２枚追加）まで使用できるようにする。
【００２８】
以上が、カード１（及び追加カード２）を使用した基本的な勤務時間管理方法の運用パターンであるが、派生的な運用方法として、例えば以下のような内容を採用・追加することができる。
例えば、上記のようなカード１，２に、２次元コードを付加し、それを回収箱２０ａなどにおいて読み取ることができる。
このようにすると、回収箱２０ａにカード１，２が返却されて格納されると、回収箱２０ａに備えられた２次元コード読取装置が、カード１，２に印字された２次元コードの情報を自動的に読み取って、読み取ったデータを使用・管理することができる。
【００２９】
具体的には、２次元コードから取得される情報として、少なくとも退社時刻とユーザに関する情報を含む場合、これらの情報を管理者装置２０に送信する。
管理者装置２０では、取得された情報を、例えばダッシュボード化（業務スタイルの定量的な分析等）して、管理者に提供することができる。具体的な例として、カード種別に基づいてユーザの退勤履歴を色分けして管理者に提供することで、所定の期間におけるユーザの労働時間の配分を可視化することができる。また、「長時間労働の抑制」や「人員配置の最適化」等といった主題を設定して、収集したデータを機械学習等の周知技術で解析するようにしても良く、管理者が改善したい課題（例えば長時間労働等）の該当者に特有のパターンを抽出して施策の検討材料としても良い。
この場合、当該ユーザの他のデータと組み合わせて分析しても良く、また、例えばユーザの健康に関するデータと結合させて分析できるようにすること可能である。なお、当該ユーザの他のデータの例として、有給取得数等の勤怠情報、人事評価や異動履歴等の人事情報、ＰＣログイン時刻やＷｅｂログ等の行動データ等が挙げられるが、これらに限定するものではない。
【００３０】
なお、このようなカード１，２を介した情報の取得は、２次元コードの読取だけに限られず、他の手段によっても良い。例えば、カード面の色や記載された文字やバーコード等の読み取りによって実現することもできる。
また、回収箱２０ａには、自動裁断（シュレッダー）機能を備えることもでき、情報を読み取った後は自動的にカード１，２を裁断するようにしても良い。
【００３１】
また、ユーザ毎のカード１，２の前月の利用実績に基づいて、カード１，２の種類毎の印刷枚数を制御することができる。例えば、管理者が定める限度の範囲内でカード１を利用したユーザは、デフォルトの枚数（青：２０枚又は１枚、黄：８枚、赤：２枚）のカード１が印刷される設定となるが、限度を超えて（追加カード２を）利用したユーザについては、予め設定されたパターン（青：２０枚又は1枚のみ）で印刷されるように制御しても良い。
さらに、ユーザ端末３０において、ユーザ自身が、自己が使用するカード１，２の２次元コード等を読み取るようにしても良く、読み取った情報とユーザの情報（ユーザＩＤ等）を紐づけて記憶し、例えば「Ｏｕｔｌｏｏｋ」（登録商標）などのユーザの予定表アプリに退社予定時間を自動登録（ユーザが選択したカードの色彩を反映した予定を自動登録できるようにしても良い）することや、ユーザの位置情報や現在の予定等を管理するツールに情報を連携できるようにしたり、プロジェクト管理ツールに連携させることもできる。
【００３２】
以上のように、本実施形態に係るカード１を用いた勤務時間管理方法によれば、各ユーザが、自己に配付された複数のカード１を、１日に１枚ずつ使用することにより、配付された全てのカード１に示された退勤時刻によって規定される所定の業務時間の範囲内で、当月の業務を終了することができるようになる。
これによって、以下のような働き方改善とそれによる生産性の向上を図ることができるようになる。
【００３３】
まず、管理者が、勤労者である各ユーザの業務時間の限度（例えば当月の残業上限）のみを定めることで、規制・介入を最小限にした「総量合意」を得ることできる。
また、管理者とユーザが合意した総量の範囲内であれば、時間をどのように配分するかはユーザ個々人の裁量となり、ユーザが自分自身で業務時間をコーディネートする「セルフコントロール」を促進させることができる。
さらに、各ユーザが、自身の退社予定時刻をカードにより職場内で「見える化」し、また、カードを翌日に管理者の回収ボックスに格納することで、職場での「コミュニケーション」のトリガーとなり、ユーザと管理者、部下と上司、被雇用者と雇用者との間で「コミュニケーション」を促進・活発化させることができるようになる。
【００３４】
なお、上述した本実施形態では特に図示していないが、勤務時間管理方法で使用可能なカードとしては、図１に示したカード１（権利型カード）及びカード２（追加カード）の他に、更に別のカードを使用することもでき、例えば、ユーザが当月中に必ず使用しなければならない「義務型カード」を（図９参照）も用いることができる。
この義務型カードとしては、ユーザに定時前の早帰りを促す「１５時カード」や「１２時カード」，「１０時カード」などがある。このような義務型カードが配付されたユーザは、配付されたカードを当月内に必ず使用しなければならず、強制的に早帰りなどを行わせることができるようになる。
この「義務型カード」の運用については、図９を参照しつつ後述する。
【００３５】
［勤務時間管理システム］
次に、図６〜１６を参照しつつ、本発明の一実施形態に係る勤務時間管理システム１０について説明する。
本実施形態に係る勤務時間管理システム１０は、上述した（物理的な）カード１を用いた勤務時間管理方法をコンピュータシステム上で実施するためのものであり、カード１を用いた勤務時間管理方法を電子化・デジタル化した形態として捉えることができる。
したがって、以下に示す本実施形態の勤務時間管理システム１０は、上述したカード１を用いた勤務時間管理方法とともに併用して実施することが望ましいが、物理的なカード１を使用することなく、単独のコンピュータシステムとして実施することもできる。
【００３６】
具体的には、勤務時間管理システム１０は、管理者装置２０からユーザ端末３０に送信される、色彩ごとに異なる退勤時刻が示された複数種類のカードを模した所定のカード情報に基づいて、ユーザ端末３０を使用するユーザの勤務時間を管理するためのシステムを構成している。なお、既に述べたように、異なる退勤時刻が示された複数種類のカードの種別を区別する手段として、色彩以外に、形状、模様であってもよく、またそれらの任意の組み合わせによってカード種別を区別するようにしてもよいので、前記カード情報は、例えば、形状ごとに異なる退勤時刻が示された複数種類のカードを模したものでよく、同様に、模様ごとに異なる退勤時刻が示された複数種類のカードを模したものとしてもよい。
図６に、本発明の一実施形態に係る勤務時間管理システム１０の機能構成を示す。
同図に示す本発明の一実施形態に係るシステムは、上述したカード１を用いた勤務時間管理方法を、ネットワークを介して接続される複数の情報処理装置によって実行するために、管理者装置２０と、ユーザ端末３０（３０ａ〜３０ｎ）を備えた勤務時間管理システム１０として構成されている（図３参照）。
この勤務時間管理システム１０を構成する管理者装置２０及びユーザ端末３０は、例えばインターネットや社内ＬＡＮ等の所定のネットワークを介して、相互にデータ通信可能に接続される。
【００３７】
［管理者装置２０］
管理者装置２０は、例えば１又は２以上のサーバコンピュータや、クラウドコンピューティングサービス上に構築された１又は２以上の仮想サーバからなるサーバシステム等によって構成することができる。
この管理者装置２０には、図示しないＯＳ（Ｏｐｅｒａｔｉｎｇ  Ｓｙｓｔｅｍ）やＤＢＭＳ（ＤａｔａＢａｓｅ  Ｍａｎａｇｅｍｅｎｔ  Ｓｙｓｔｅｍ）などが備えられ、サーバコンピュータとして運用されるようになっている。
【００３８】
また、管理者装置２０には、Ｗｅｂサーバプログラムなどのミドルウェア上で稼働するソフトウェアが実装されるようになっている。
また、管理者装置２０には、データベース等として実装される記憶手段（ＤＷＨ：データウェアハウス）が備えられ、後述するカード情報記憶手段２６となるデータベースを構成するとともに、本発明に係る勤務時間管理システム１０の運用に必要となる所定の情報を取得・蓄積する記憶手段が備えられる。
記憶手段には、各種の情報リソースとして、後述するカード情報やユーザ情報などが記憶されるとともに、本実施形態に係る管理者装置２０に必要となる所定の情報が格納され、管理者装置２０の運用に伴って随時必要な情報が読み出されて、記憶・更新される。
【００３９】
そして、以上のような管理者装置２０は、具体的には、図６に示すように、配付カード情報設定手段２１，配付カード情報送信手段２２，使用カード情報受信手段２３，使用カード情報管理手段２４，アラート情報送信手段２５，カード情報記憶手段２６として機能するように構成されている。
配付カード情報設定手段２１は、上述した（物理的な）カード１を模した所定のカード情報として、ユーザごとに配付する当月内で使用できるカードの種類と枚数を含む所定情報を設定する手段である（後述する図７〜８参照）。
ここで、ユーザごとに設定されるカード情報としては、ユーザを識別・特定するためのユーザ情報（ユーザＩＤや氏名等）と、当該ユーザが当月内で使用できるカードの種類・枚数を示す情報（テキスト情報やカードを示す画像情報等）などである。
【００４０】
配付カード情報送信手段２２は、配付カード情報設定手段２１で設定されたカード情報を、該当するユーザが使用するユーザ端末３０に送信する手段である。
この配付カード情報送信手段２２は、毎月の所定の日時、例えば、当月の月初め（毎月第１営業日）や前月の月末などに、所定のカード情報を該当するユーザが使用するユーザ端末３０に送信する。
使用カード情報受信手段２３は、ユーザ端末３０から送信される、当日に使用されるカード情報を受信する手段である。
【００４１】
使用カード情報管理手段２４は、使用カード情報受信手段２３で受信されたカード情報を、ユーザ毎に管理する手段である。
具体的には、使用カード情報管理手段２４は、ユーザ毎に、当該ユーザを特定するための所定のユーザ情報と、当該ユーザが使用するユーザ端末３０から送信されるカード情報と、当該ユーザの現在の状況を示す所定のステータス情報とを当日毎に管理して、一又は二以上のユーザの情報として一覧表示可能に出力する（後述する図１０及び１１参照）。
【００４２】
アラート情報送信手段２５は、当日に使用されるカード情報を、所定時刻までにユーザ端末３０から受信しない場合に、該当するユーザ端末３０に所定のアラート情報を送信する手段である。
カード情報記憶手段２６は、上記のような各手段２１〜２５によってユーザ端末３０との間で送受信されるカード情報を含む各種の情報・データを記憶する記憶手段である。
以上のような管理者装置２０の各手段２１〜２６によって実行される勤務時間管理のための処理・動作の詳細については、図６〜１６を参照しつつ後述する。
【００４３】
［ユーザ端末３０］
ユーザ端末３０（３０ａ〜３０ｎ）は、上述した管理者装置２０とデータ通信可能に接続される、例えばＰＣ、タブレット端末、スマートフォン等で構成される情報処理装置である。
具体的には、本実施形態に係るユーザ端末３０は、配付カード情報受信手段３１，配付カード情報記憶手段３２，使用カード情報送信手段３３，使用カード情報削除手段３４として機能するように構成されている。
【００４４】
配付カード情報受信手段３１は、上述した管理者装置２０から送信される、ユーザごとに配付される当月内で使用可能なカード情報を受信する手段である。
配付カード情報記憶手段３２は、配付カード情報受信手段３１で受信されたカード情報の種類と枚数を記憶する記憶手段である。
使用カード情報送信手段３３は、配付カード情報記憶手段３２に記憶されたカード情報のうち、ユーザ端末３０への所定の選択操作に応じて、当日に使用される１枚のカード情報を選択して管理者装置２０に送信する手段である。
使用カード情報削除手段３４は、配付カード情報記憶手段３２に記憶されたカード情報のうち、使用カード情報送信手段３３によって管理者装置２０に送信されたカード情報を削除する手段である。
【００４５】
そして、以上のような各手段３１〜３４を備えるユーザ端末３０を使用することにより、ユーザは、配付カード情報記憶手段３２に記憶された複数のカード情報を１日に１枚ずつ使用して、使用カード情報送信手段３３により送信されたカード情報に示された退勤時刻までに当日の業務を終了するように業務を遂行する。
これによって、当月に管理者装置２０から配付・送信されたカード情報に示された退勤時刻によって規定される業務時間の範囲内で、当月の業務を終了することができるようになる。
以上のようなユーザ端末３０の各手段３１〜３４によって実行される勤務時間管理のための処理・動作の詳細についても、図６〜１６を参照しつつ後述する。
【００４６】
［動作］
次に、以上のような本実施形態に係る勤務時間管理システム１０における具体的な処理・動作（勤務時間管理方法の実施）について、図６〜１５を参照して説明する。
本システムの運用は、まず、管理者装置２０から、各ユーザ端末３０に、当該ユーザに対して設定された所定の枚数・種類のカード（基本セット又は他のセット（特別セット等））を示すカード情報のデータが送信される（配付カード情報送信手段２２）ことで開始される。
配付カード情報の送信に先立って、管理者装置２０では、ユーザごとに配付する当月内で使用できるカードの種類と枚数を含む所定のカード情報が設定される（配付カード情報設定手段２１）。
【００４７】
配付カード情報の設定は、管理者装置２０を操作する管理者が、管理者装置２０の表示手段に表示される一覧情報を介して行うことができる。
図７に、管理者装置２０で出力・表示されるカード情報の設定画面を示す。
同図に示すように、管理者装置２０では、管理対象となる複数のユーザのユーザＩＤ・氏名・カード種別を関連付けて設定・記憶するための設定画面が生成・表示されるようになっている。これらの情報は、カード情報記憶手段２６に予め記憶されている。
【００４８】
具体的には、図７の例では、ユーザ情報（ユーザＩＤ・氏名）ごとに、「カード種別」として、「継続」（前月と同じ），「基本セット」（図１参照），「Ｓ１〜Ｓ５」（基本セット以外のセット：例えばペナルティセットＡ／Ｂ／Ｃ・・など），「設定」（新しいカードセットの設定）が選択可能な一覧表示として出力・表示される。
また、図７に示す設定画面では、ユーザの一覧表示の近傍に、入力操作可能なアイコンとして、「レコメンド」，「送信」，「分析」，「履歴」，「印刷」，「設定」等のボタン画像が表示され、それぞれ、入力操作に応じて対応する処理・動作が行われるようになっている。
また、図７の設定画面の右下には、各ユーザへの配付カード情報をいつまでに送信・配付すべきかのアラート情報が表示される。
【００４９】
したがって、管理者装置２０を操作する管理者は、図７に示すような設定画面に従い、表示された管理対象ユーザ一覧を見ながら、ユーザレコードごとに、送信するカードデータの種類（カード種別）を選択する。選択されたカード種別が示すカード情報は、「送信」ボタンが押下されることで、該当するユーザのユーザ端末３０に配付カード情報として送信される（配付カード情報送信手段２２）。
また、「レコメンド」ボタンが押下されると、各ユーザの前月実績（又は任意に設定された所定の期間の実績）に基づいて、配付するカードの種類・枚数が自動的に選択され、レコメンド結果が管理者装置２０に出力・提示される。管理者がレコメンド結果を承認すれば、そのレコメンド結果に示された種類・枚数のカード情報が、そのまま該当する各ユーザ端末３０に送信されるようになる。なお、レコメンド結果を出力するために用いる履歴データや前提条件等は、管理者が任意に設計することができ、例えば、後述する年間の繁閑の予定に基づいて、配布するカードの種類・枚数が自動的に選択されるようにしても良い。
【００５０】
また、対象ユーザレコードに表示される「履歴」ボタンが押下されると、前月又は所定の期間の実績データ（例えば、実績を示す数値や分析後のグラフ等）が表示され、管理者はそれを参照しながら配付するカードの種類・枚数を検討することができる。これは、ユーザにどのカードセットを配付したら良いのか迷ったような場合に有益となる。
さらに、対象ユーザレコードに表示される「設定」ボタンが押下されると、当該ユーザに対して新規のカードセットを作成・設定できる新規パターン作成画面が表示される。
【００５１】
図８に、そのようなカードセットの新規パターン作成画面の一例を示す。
同図に示す例では、図１に示したカード１の３種類のカード１ａ〜１ｃに対応したカードを示す画像と、各カードの枚数を設定する「＋／−」ボタンが選択可能に表示され、選択されたカードの種類・枚数に対応する「最大観察時間」（残業時間）が算出されて出力・表示されるようなる。なお、「最大観察時間」（残業時間）の算出は、管理者装置の図示しない総量演算手段において実行される。
そして、「確定」ボタンが押下されることで、選択されたカードの種類・枚数が、当該ユーザへの配付カード情報として設定され、ユーザ端末３０に送信される。
【００５２】
また、カードセットの新規パターンとしては、上記のような３種類のカード１ａ〜１ｃ以外の他のカードについても設定することができる。
図９に、そのような他のカードセットの新規パターン作成画面の一例を示す。
同図に示す例では、ユーザに配付されるカード情報として、図１に示したカード１（権利型カード）の他に、ユーザが当月中に必ず使用しなければならない「義務型カード」を設定できるようになっている。
具体的には、義務型カードとして、ユーザに定時前の早帰りを促す「１５時カード」，「１２時カード」，「１０時カード」について、所定枚数を設定・配付できるようになっている。
【００５３】
このような義務型カードについても、「確定」操作によってカード情報がユーザ端末３０に送信され、受信したユーザは、配付された義務型カードを当月内に必ず使用しなければならず、強制的に早帰りなどを行わせることができるようになる。
例えば、「１５時カード」（ゴールドカード）を１枚配付されたユーザは、当月内に１回は「１５時退社」が義務付けられることになり、プレ金（プレミアム・フライデー）の日などに、「１５時カード」を使用して１５時には退勤しなければならないことになる。
【００５４】
このように、本実施形態に係る勤務時間管理方法において使用できるカードの性質は、ユーザ側にカード使用の可否が委ねられる「裁量権型カード」（図１参照）だけでなく、ユーザ側に当該カードの使用が義務付けられる「義務型カード」がある。
このような「義務型カード」は、例えば、「１５時退社必須！」（ゴールドカード）のカードを設けて、月に所定の枚数を必ず消費しなければならないようにすれば、ユーザに早帰りを義務付けることで、「メリハリ」のうち「メリ」の部分をコントロールできるようなり、生産性向上などに資することができる。
【００５５】
なお、以上のような管理者向けのカード配付設定画面は、所定のタイミング、例えば毎月の第１営業日の所定の時刻に、管理者が管理者装置２０にログインした後に、管理者装置２０において自動で起動・表示されるようにすることができる。
また、管理者が配付の操作を所定の時刻までに完了させない場合は、管理者装置２０は、所定のアラート情報を自動生成して、管理者装置２０の表示画面に出力・表示させることができる。
さらに、アラート通知後も、管理者が所定の期限までにカード配付操作を行わない場合には、他の人間、例えば管理者が予め選任・登録した第２の配付操作者（代行承認者等）に配付操作の権限を自動的に移行するようにすることもできる。
また、予め管理者によって設定された配付カード情報を、所定の日時（毎月の第１営業日の所定の時刻等）に予約配信するように設定することもできる。
【００５６】
配付カード情報を送信・配付した管理者装置２０では、各ユーザのユーザ端末３０から送信される、当日に使用されるカード情報が受信されるとともに（使用カード情報受信手段２３）、受信された当日使用のカード情報が、ユーザ毎に管理される（使用カード情報管理手段２４）。
まず、管理者装置２０では、既に出社したユーザの情報を、例えば社員証による入館履歴データと連携することで受信して、出社しているユーザの人数，氏名，拠点等の情報を記憶・管理することができる。
【００５７】
これによって、管理者装置２０では、図１０に示すように、管理対象となる複数のユーザ情報として、複数のユーザが当日に使用するカード情報と、前日の実績、各ユーザの現在の状況を示す所定のステータス情報とを一覧表示された表示画面として出力・表示することができる（使用カード情報管理手段２４）。
同図の例では、管理対象となる各ユーザについて、当日使用するカード情報の有無や前日実績，現在の状況（ステータス）が一目で分かるようになり、カードを選択済みのユーザ数や、出社しているにもかかわらず当日使用するカードを未選択のユーザ情報を把握・抽出することができる。
また、当日及び前日のカード情報には、ユーザが付加した感情や体調を図示したアイコン（顔マーク）やテキスト情報（一言メッセージ）が併せて出力・表示される。
【００５８】
また、このようにユーザの出社状況やカード情報の選択の有無を示すユーザ情報は、例えば図１１に示すように、管理者装置２０の表示手段において、複数のユーザが当日使用するカード情報として、ステータスバーに表示させることができる。
そして、管理者装置２０では、以上のように生成・出力されるユーザ情報に基づき、当日に使用されるカード情報を、所定時刻までにユーザ端末３０から受信しない場合には、該当するユーザ端末３０に所定のアラート情報を送信することができる（アラート情報送信手段２５）。
【００５９】
アラート情報は、毎日一回又は数回、所定の時刻を過ぎた後に、カード情報が未選択（未送信）のユーザに対して、カード選択を促す所定のメッセージ等を、管理者装置２０から自動送信することができる。
あるいは、出社して自身のＩＤでユーザ端末３０にログインしたユーザに対して、ログイン時刻から所定の時間が経過しても当日カード情報を選択・送信しないユーザのユーザ端末３０に、カード情報の選択を促す所定のアイコン（例えば猫のキャラクター等）を自動表示させるようにしても良い。
以上のような機能を備えることで、例えば管理者が数日間不在となり（例：２日間の集合研修等）、ユーザの近くにいなくても、管理者はＰＣ端末等（スマートフォン，スマートグラス等でも可）さえあれば、管理対象となるユーザの状況を把握することができる。
【００６０】
一方、複数の各ユーザ端末３０では、管理者装置２０から送信された配付カード情報が受信され（配付カード情報受信手段３１）、受信されたカード情報のデータは、配付カード情報記憶手段３２に記憶・保持される。
そして、このように記憶・保持されたカード情報は、ユーザ端末３０の表示手段において、視認可能に出力・表示される。
図１２〜１４は、ユーザ端末３０で出力・表示されるカード情報の表示画面である。
これらの図に示すように、ユーザ端末３０に表示されるカード情報は、例えば「カードホルダー」のようなアイコン３５で関連付けられ、アイコン３５をクリック等すると、当該ユーザが当月内で使用可能なカードを一覧表示させることができる。
【００６１】
カードの一覧表示は、図１２〜１４に示すように、図１に示す３種類のカード１ａ〜１ｃに対応したカードのカード面と枚数を表した画像と、配付されたカードの種類・枚数や、残り枚数などを示す文字などが、一覧で表示されるようになっている。これによって、ユーザは、自己が保有する当月内で使用可能なカードの種類・枚数を一目で認識・把握することができるようになる。
なお、このようなカードの一覧表示は、ユーザがユーザ端末３０を操作して、「カードホルダー」アイコン３５をクリックするまで、未開封を示す注意マークや色などで報知・強調等することができる。
【００６２】
そして、ユーザがユーザ端末３０を入力操作することで、一覧表示されたカード画像の中から１枚のカード画像をクリック操作等で選択することができ、カード画像が選択されて「確定」（送信）ボタンが押下されると、選択されたカード情報及び関連データ（カードに示される退社時刻や当該カードが何枚目であるか等）が、ユーザ情報とともに管理者端末に送信される。なお、カードの送信処理は、例えば画面表示されているカード画像をドラッグ移動して「管理者ボックス」（図示せず）に入れることで確定させるようにしても良く、また、その他の所定の操作で確定させることもできる。
【００６３】
また、カードを選択・送信する際には、図１３に示すように、例えば所定のメッセージ登録やアイコンを選択して、送信されるカード情報に付加することができる。
このような付加情報としては、図１０に示したように、ユーザの感情や体調などを示すアイコン（例えば：元気の笑顔マーク・悩みマーク・体調ぐったりマーク等）や、所定テキスト文字数以内の一言メッセージなどを付加・送信させることができる。
なお、上記のような感情や体調を示すアイコン登録は、ユーザが自ら選択（宣言）するパターン以外に、例えば、当該ユーザの出社・入館時等に撮像される映像（公知の顔認証技術等）に基づいて、ユーザのコンディションを表すアイコンをシステムが生成したりレコメンドすることもできる。
【００６４】
選択・確定された当日使用するカード情報は、上記のような付加情報を含めて、管理者装置２０に送信される（使用カード情報送信手段３３）。
当日使用するカード情報が送信されると、図１４に示すように、ユーザ端末３０のカードの一覧情報には、送信されたカード情報に対応するカード画像に「本日のカード」を示すテキスト情報と、付加されたアイコン画像などが表示される。これによって、ユーザは、自らが選択した当日使用するカード情報を一目で認識・把握することができるようになる。
また、当日使用するカード情報が送信されると、配付カード情報記憶手段３２に記憶されたカード情報のうち、送信されたカード情報が削除され（使用カード情報削除手段３４）、使用されたカードに対応するカード情報として、カードの残り枚数データが１枚減算される。
【００６５】
また、これに伴って、ユーザにより当日使用のカードが選択・確定された後は、ユーザの「カードホルダー」のカードの一覧表示画像から、該当するカード画像や残り枚数の文字も１枚減らされる。
あるいは、選択・使用されたカード画像は、グレーなどの色に変更したり、「消費済み」や「本日のカード」のテキストなどをカード画像に重ねて表示しても良い。
このように、選択・使用されたカードは、データの削除や無効化・選択不能化などの処理がなされるようになっており、一度使用されたカードが再度選択されたり使用されたりできないようになっており、カードの使い回しといったことが確実に防止・排除されるようになる。
なお、選択されたカードを無効化等する処理をしない限り、当日に別のカードを追加で送信できないように制御することもできる。
【００６６】
以上のような動作を繰り返すことで、各ユーザは、ユーザ端末３０を介して、自己に配付された複数のカード情報を、１日に１枚ずつ管理者装置２０に送信して日々の業務を遂行することで、配付された手持ちのカード情報の退勤時刻によって規定される所定の業務時間の範囲内で、当月の業務を終了できることになる。
これによって、図１に示した物理的なカード１を使用した勤務時間管理方法と同様に、無駄な長時間労働・残業時間を削減して、業務の効率化・生産性の向上を図ることができるようになる。
また、勤務時間管理システム１０によれば、ユーザが遠隔地で業務を行っている場合（例えば顧客先常駐のユーザなど）や、管理者が遠隔地にいる場合など、管理者とユーザとが離れた場所にいて日々の業務を行うような場合でも、管理者装置２０とユーザ端末３０とがネットワークを介して接続されている限り、本発明に係る勤務時間管理方法を実現することができるようになる
【００６７】
［カード提供計画の立案］
以上のような勤務時管理方法及び勤務時間管理システム１０においては、管理者が各ユーザに配付・送信するカード（カード情報）は、図１，図１２に示す基本セットを前提として、各ユーザの前月のカードの使用状況やレコメンド情報等を勘案・考慮して、管理者がカードの枚数・種類を決定していた。
本実施形態の勤務時間管理システム１０では、より長期的なスパン・長期視点に立ったカードの提供計画を立案することにより、各ユーザに配付すべきカード（カード情報）を決定することもできる。
【００６８】
図１５は、本実施形態に係る勤務時間管理システム１０において、各ユーザに配付されるカードの提供計画を立案するプロセスを模式的に示す説明図である。
同図に示すプロセスでは、本発明に係る勤務時管理方法及び勤務時間管理システム１０で配付されるカード（カード情報）によって規定される業務時間（総量合意）を、月単位以外で、所定の期間（例えば年間や６ヶ月など）で設定できるようにする。
その目的は、例えば企業の各事業部の特徴（繁忙期、すなわち、年間の繁閑の予定はそれぞれ異なる）を踏まえて、長期視点で働き方を改善していくことで、「メリ」と「ハリ」をバランスよく設定した長期の波動を作り出していくことである。例えば、ある事業部においては、年末年始が「ハリ」の時期であると予測できるのであれば、その前や後に「メリ」が生じるような環境を作り出さなければ、通年にわたって「ハリ」が継続してしまう状況になり、労働時間の上限超過につながってしまう。
【００６９】
そこで、本実施形態では、図１５に示すように、予め長期波動のパターンを設定し、その内容に従って、上述したカード（カード情報）の組み合わせをレコメンドして管理者に提示するものである。なお、細かい調整は管理者が管理者装置２０の画面を見ながら管理者自身が調整できるようにする。
長期波動パターン設定方法は、直感的に操作できるようにする。例えば、管理者装置２０の表示手段（ディスプレイ）において、波動（デフォルトは直線でも良い）を示して、管理者が指（マウス等でも良い）で波動線を移動させて感覚的に望ましい波動を調整できるようにしても良く、その結果（座標等）に応じて具体的な数値（例えば月ごとの上限時間）を波動線の各頂点付近に表示しても良い。
【００７０】
また、管理者の好みに応じて、波動線ではなく、グラフ棒の伸び縮みを操作してメリハリのイメージを作成できるようにしても良い。
期間は月単位で指定しても良いし、日単位で指定（１か月の中の波動を作成）するようにしても良い。
なお、期間の上限を超えないように制御する必要がある。例えば、管理者が選択した期間における、法定の、あるいは当該企業が独自に定める残業時間の上限を自動計算し、管理者が長期波動を作っていく中で、上限を超える時点でアラートを出して、波動線が動かないように制御することや、選択中の波動線は動くが隣接する月次の頂点が自動的に下がるようにしても良い。
【００７１】
なお、波動線を新たに作成する際は、波動（デフォルトは直線でも良い）を示して、管理者が指（マウス等でも良い）で波動線を移動させて感覚的に望ましい波動を調整する以外で、過去に作成したパターンを履歴から呼び出して画面に表示させ、その履歴をさらに調整できるようにしても良い。また、過去の実績データ（例えば実際の残業時間でも良いし、カード種別ごとの使用実績に基づく換算値でも良い）を波動線に変換し、それをさらに調整できるようにしても良い。
そして、予め登録してあるカード情報（種類、枚数等）と長期波動（各点に関連付く時刻情報＋月情報等）をインプットとして、カード設計案を出力する（レコメンド機能）。
【００７２】
図１５に示す例では、ユーザＡ向けのカード提供計画として、４月〜９月の６カ月間における長期波動パターンについて、例えば「過去５カ月の勤務時間実績」と「閑散期／繁忙期」，「平準型／高変動型」等の情報を入力し、観察時間（残業時間）が月間で４５〜１００時間の範囲となるようにしてカード設計案を生成・出力した場合である。
この例では、閑散期の４月：青１枚・黄９枚・赤５枚、５月：青１枚・黄０枚・赤０枚、６月：青１枚・黄１枚・赤０枚となっており、繁忙期の７月：青１枚・黄１０枚・赤１０枚、８月：青１枚・黄１５枚・赤１５枚・・・というカード設計案が生成されている。
このように、本実施形態の勤務時間管理システム１０では、長期視点に立ったカードの提供計画を生成・提示することができるものである。
【００７３】
以上のような本実施形態に係る勤務時間管理システム１０を構成する管理者装置２０及びユーザ端末３０のハードウェア構成の一例は図１６に示すとおりであり、ＣＰＵ１０１，ＲＡＭ１０２，ＲＯＭ１０３，ＨＤＤ１０４，入力装置１０５及び表示装置１０６を含む情報処理装置によって構成される。これらの構成要素はシステムバスで接続され、システムバスを介してデータのやり取りが行われる。ＣＰＵ（Ｃｅｎｔｒａｌ Ｐｒｏｃｅｓｓｉｎｇ Ｕｎｉｔ）１０１は、中央処理装置ともいい、コンピュータの中心的な処理を行う部位であり、各装置の制御やデータの計算／加工を行う。ＲＡＭ（Ｒａｎｄｏｍ Ａｃｃｅｓｓ Ｍｅｍｏｒｙ）１０２は、メモリ装置の一種で、データの消去・書き換えが可能なものであり、ＲＯＭ（Ｒｅａｄ Ｏｎｌｙ Ｍｅｍｏｒｙ）１０３は、半導体などを用いたメモリ装置の一種で、データ書き込みは製造時１回のみで、利用時には記録されたデータの読み出しのみできるものである。ＨＤＤ（Ｈａｒｄ Ｄｉｓｋ Ｄｒｉｖｅ）１０４は、磁性体の性質を利用し、情報を記録し読み出す補助記憶装置である。入力装置１０５は、ユーザがコンピュータに対して操作指示を行うため、あるいは、文字等を入力するために使用され、具体的には、キーボード，マウス等で構成される。表示装置１０６は、例えば液晶ディスプレイ等で構成され、タッチパネル機能を有するものであってもよい。この他、図示しない通信機能も有し、この通信機能により他の端末との通信が可能となる。
【００７４】
以上、本発明について、好ましい実施形態を示して説明したが、本発明は、上述した実施形態に限定されるものではなく、本発明の範囲で種々の変更実施が可能であることは言うまでもない。
例えば、以下のような変更実施・改良実施等が可能である。
【００７５】
ユーザが選択したカードに対応した退社予定時刻に関する情報に基づいて、ユーザの「Ｏｕｔｌｏｏｋ」（登録商標）予定表に退社スケジュールを自動登録する。ユーザの位置情報や現在の予定等を管理するツールにも情報（＋感情アイコン等を付加しても良い）を登録する。ユーザがかかわるプロジェクトのメンバーやプロジェクトリーダーなど、予め設定した範囲に属するメンバーにも情報を送信する。つまり、関連するメンバーの退社予定時刻やコンディションに関する情報をメンバー間で共有できるようにしても良い。なお、プロジェクトリーダーがプロジェクト進捗等の状況に応じて、ユーザが既に選択したカードとは別の種類のカードに変更するように要請できるようにしても良い。その場合、要請した理由や対象ユーザ等に関する情報は履歴として記憶され、所定の期間内に管理者に報告レポートとして送信される。
また、ユーザがいったん確定したカードを当日内に別のカードと差し替える場合は、消費済みのグレーに変色したカードを所定の操作で復活させると同時に、別のカードを選択して再度管理者に送信しなければならない。管理者が許可の操作をすると、新たに選択したカードが有効となって、「Ｏｕｔｌｏｏｋ」予定表登録などの処理を再度実行する。
【００７６】
管理者端末で、ユーザごとの実績データを分析するようにしても良いし、複数のユーザを選択して分析（比較など）できるようにしても良い。
また、所定の権限を持つ管理者であれば、ユーザの健康データと結合させてデータ分析できるようにしても良い（例えば、基本セットの範囲内で業務するようになってから、血糖値などの数値が改善された等）。あるいは、ユーザが特定されないように情報を加工してデータ分析結果を管理者に表示するようにしても良い。基本セットの範囲内で業務をしているにもかかわらず、健康データが悪化しているユーザがいれば、健康管理室などに情報を連携するようにしても良いし、部室長にヒアリング対象として通知しても良い。例えば、原因は夜遊びや副業か、それとも人間関係や家庭事情などか、というユーザの体調やメンタルに影響する、業務時間以外の要素を特定するトリガーにすることできる。
【００７７】
また、ＡＩ（人工知能）分析によって、休職者やメンタル要注意ユーザ等の特定や時期の推定をしても良い。これによって、例えば、あるプロジェクトに関して、将来のある時点で大量の休職者が発生することが予想された場合、事前にケアすることや予備メンバーの確保等、対策を講じることができる。
カードの運用について、アプリ版と紙媒体版を併用しても良く、その場合、ユーザごとにどちらの運用で行うかを予め設定しておく。
【００７８】
カード基本セットの範囲内で当月の業務時間を調整できたユーザに対して、毎月ポイントを付与しても良く、所定のポイント数に達した場合に、社内カフェ（フレッシュジュース１回分等）や提携するジム・カルチャースクール（夕方クラスの割引）等で使用できる電子通貨と交換できるようにしても良いし、募金に使えるようにしても良い。例えば、予め社内で募金のプロジェクトをいくつか（国内、海外、子供、動物、限定なし）用意しておき、ユーザが付与されたポイントの蓄積場所をそれらの募金プロジェクトのいずれかに指定できるようにしても良く、蓄積されたポイントを所定のレートで会社が換算して、会社から募金するようにしても良い。なお、ポイントの付与単位は、事業部単位であっても良く、ポイント蓄積数のランキングを毎月（毎年）公開するようにしても良い。また、逆に、カードの追加申請があった場合は、蓄積されたポイントから減らすようにしても良い。
【００７９】
分析機能として、ユーザがカードを切り替えたタイミングや回数を分析できるようにすると良い。管理者が設定した所定のタイミングや回数で切り替えたユーザを抽出できるようにしても良い。
例えば、あるユーザが朝に青カードを選択し、午前のうちに黄色カードに切り替え、さらに１９時に赤カードに切り替えたようなケースを切り出して、面談や観察等で、ユーザがカードを切り替えた要因を特定できるようにする。これによって、例えば自己管理や仕事の段取りが苦手なことが要因なのか、それとも担当業務（例えばコール対応など）の特性が影響して自身で時間をコントロールし難いのか、などを特定するトリガーとすることができる。
また、管理者は「高パフォーマー（仕事の効率が良いユーザ）」や「低パフォーマー（仕事の効率が相対的に良くないユーザ）」等といった主題を設定して、機械学習等の周知技術によって、管理者が取り組みたい課題（例えば時間管理や仕事の効率が相対的に低いユーザをどのように高パフォーマーに転換できるか、といった課題）の該当者に特有のパターンを抽出して施策の検討材料としても良い。
【００８０】
また、上述した実施形態では、管理者装置及びユーザ端末として、デスクトップＰＣのように、比較的大きな装置・画面の情報処理装置で構成される場合を示しているが、本発明に係る管理者装置・ユーザ端末は、例えばスマートフォンやタブレット端末携帯電話機，タブレット端末，スマートグラス等のウェアラブル端末の表示手段のように、比較的小さな情報処理装置で構成することも勿論可能である。
【産業上の利用可能性】
【００８１】
本発明は、企業・団体・官公庁等において、勤労者の勤務時間を管理するため労務管理・勤怠管理業務を支援するための方法やシステムとして好適に利用可能である。
【符号の説明】
【００８２】
１  カード（権利型カード）
２  カード（追加カード）
１０  勤務時間管理システム
２０  管理者装置
３０  ユーザ端末
１０１  ＣＰＵ
１０２  ＲＡＭ
１０３  ＲＯＭ
１０４  ＨＤＤ
１０５  入力装置
１０６  表示装置（ディスプレイ）
【図１】
2019036096.tif 000003
【図２】
2019036096.tif 000004
【図３】
2019036096.tif 000005
【図４】
2019036096.tif 000006
【図５】
2019036096.tif 000007
【図６】
2019036096.tif 000008
【図７】
2019036096.tif 000009
【図８】
2019036096.tif 000010
【図９】
2019036096.tif 000011
【図１０】
2019036096.tif 000012
【図１１】
2019036096.tif 000013
【図１２】
2019036096.tif 000014
【図１３】
2019036096.tif 000015
【図１４】
2019036096.tif 000016
【図１５】
2019036096.tif 000017
【図１６】
2019036096.tif 000018